(57)【要約】【課題】収容したごみの体積を減少させてごみを効率良く収容することができ、使用時に部材を取り外す必要がなくコンパクト性を有し、ごみの体積を減少させた後も美観を損ねることがなく、バランスのよい安定的な操作でごみ箱内のごみの体積を減少させることのできる充分な強度を有するごみ箱の提供。【解決手段】底略筒状の容器本体；容器本体の上開口部に着脱可能に配設された枠体；枠体の内側面において容器本体の高さ方向に沿って配設され、溝部を有する長尺状の支持体；支持体の外周部分に摺動可能に配設された略筒状の摺動体；支持体の溝部において、支持体と摺動体とを接続し、摺動体を支持体の上端部に保持する引きバネ；摺動体の上端部に回動可能に配設され、かつ枠体に開閉自在に配設された蓋体；を具備し、摺動体とともに蓋体を、引きバネの引張力に抗して容器本体内部に向かって高さ方向下側に押し込み可能な構成を有する圧縮機能付ごみ箱。【選択図】図７
2010215341.tif 000002
【特許請求の範囲】
【請求項１】
有底略筒状の容器本体、
前記容器本体の上開口部に着脱可能に配設された枠体、
前記枠体の内側面において前記容器本体の高さ方向に沿って配設され、溝部を有する長尺状の支持体、
前記支持体の外周面に摺動可能に配設された略筒状の摺動体、
前記支持体の溝部において、前記支持体と前記摺動体とを接続し、前記摺動体を前記支持体の上端部に保持する引きバネ、
前記摺動体の上端部に回動可能に配設され、かつ前記枠体に開閉自在に配設された蓋体、
を具備し、
前記摺動体とともに前記蓋体を、前記引きバネの引張力に抗して前記容器本体内部に向かって前記高さ方向下側に押し込み可能な構成を有すること、
を特徴とする圧縮機能付ごみ箱。
【請求項２】
有底略筒状の容器本体、
前記容器本体の上開口部に着脱可能に配設された枠体、
前記枠体の対向内側面において前記容器本体の高さ方向に沿って配設され、溝部を有する長尺状の第一の支持体及び第二の支持体、
それぞれ前記第一の支持体及び前記第二の支持体の外周面に摺動可能に配設された、略筒状の第一の摺動体及び第二の摺動体、
前記第一の支持体の溝部及び前記第二の支持体の溝部において、それぞれ前記第一の支持体及び前記第二の支持体と前記第一の摺動体及び前記第二の摺動体とを接続し、前記第一の摺動体及び前記第二の摺動体を前記第一の支持体及び前記第二の支持体の上端部に保持する引きバネ、
前記第一の摺動体及び前記第二の摺動体の上端部に回動可能に配設され、かつ前記枠体に開閉自在に配設された蓋体、
を具備し、
前記第一の摺動体及び前記第二の摺動体とともに前記蓋体を、前記引きバネの引張力に抗して前記容器本体内部に向かって前記高さ方向下側に押し込み可能な構成を有すること、
を特徴とする圧縮機能付ごみ箱。
【発明の詳細な説明】
【技術分野】
【０００１】
本発明は、容器本体内に収容されたごみを圧縮してその体積を減少させ、更に多くのごみを効果的に収容することができる圧縮機能付ごみ箱に関する。
【背景技術】
【０００２】
従来から、家庭の他、例えばレストラン、オフィスビルやショッピングセンター等の人が多く集まる場所においては、少なくともトイレ毎にごみ箱が配設されている。そして、特に人が多く集まる場所に配設されているごみ箱については、収容されているごみを清掃担当者が毎日定期的に回収して処分することが行われている。
【０００３】
ここで、ごみ箱に捨てられるごみについてみると、例えば家庭やオフィスビルでは、メモ書きに使用した後の紙片、使用済みの包装紙又は合成樹脂製フィルム等が手で小さく丸められてごみ箱に捨てたりすることが多く、手で丸めたごみ自体の内部に隙間が生じることがある。これに加えて、ごみとごみとの間に隙間ができたり、ごみ箱内に収容したごみが膨張して体積が増加したりすることもある。
【０００４】
また、例えばレストランやショッピングセンターでは、例えば消費者の食欲や購買意欲を減退させないようにといった配慮から、衛生的な環境を作るべく、トイレにはペーパータオル等が設置されていることが多い。このペーパータオルも手で小さく丸められてごみとしてごみ箱に捨てられるが、ペーパータオルそのものが比較的大きな面積を有するため、丸めた後に内部に大きな隙間を生じ、更にごみとごみとの間に大きな隙間ができたり、ごみ箱内に収容したごみの膨張及び体積増加も顕著である。
【０００５】
そのため、特に上記のような場所に配設されているごみ箱では、収容するごみの量がそれ程多くないにもかかわらず、ごみ箱内がごみで一杯になってしまったり、ごみ箱への投入に失敗して外に散乱したりすることがあり、ごみ箱内のごみを頻繁に回収する必要があるばかりか、場合によってはごみ箱の周辺も掃除する必要があり、清掃担当者にかかる人件費も高くなるといった問題点があった。
【０００６】
これに対し、例えば特許文献１においては、ナイロン等の燃えないゴミを押し付けてゴミの容積を小さくできるようにすることを意図して、ゴミ箱内に棒付押し板を入れ、蓋をした状態で手動にて棒を押してゴミを圧縮し蓋部のロック機能にてゴミの反発力をとめるゴミ箱が提案されている（特許文献１、要約及び実用新案登録請求の範囲等参照）。
【０００７】
また、例えば特許文献２においては、容器本体内に収容したゴミの体積を減少させてゴミを効率良く収容することができると共に、ゴミの体積を減少させた後も美観を損ねることなくゴミを継続して収容することができるゴミ収容箱の提供を意図して、容器本体の上端開口部に蓋体を開閉自在に装着してなるゴミ収容箱において、上記蓋体を容器本体の対向内側面に配設しているスプリングによって支持させ、該スプリング力に抗して蓋体を容器本体内に押し込み可能に構成することが提案されている（特許文献２、要約及び特許請求の範囲等参照）。
【先行技術文献】
【特許文献】
【０００８】
【特許文献１】実用新案登録第３０８２０７１号公報
【特許文献２】特開２００５−８９０９０号公報
【発明の概要】
【発明が解決しようとする課題】
【０００９】
しかしながら、上記の特許文献１に記載のゴミ箱では、確かにゴミ箱内に収容したゴミを棒付き押し板によって押圧してその体積を減少させることができるものの、ゴミ箱内にゴミを継続して収容する場合には、棒付き押し板をゴミ箱から取り外して別の場所に保管しておく必要があり、取り外した状態では、ゴミ箱内のゴミが外部から見えて美観上好ましくないという問題があった。
【００１０】
また、上記の特許文献２に記載のゴミ収容箱では、ゴミ収容箱内に収容したゴミが所定量以上となってゴミを収容することが困難となった時は、蓋体を容器本体内に押し込むことによって直ちに容器本体内のゴミを圧縮し、容器本体内にゴミを収容するための空間部を形成して、ゴミ収容箱内にゴミを継続的に捨てることができるものの、上下方向において蓋体がほぼスプリングのみによって支持されているため、圧縮操作において蓋体のバランスが崩れ易く蓋体が外れてしまったり、効果的にゴミ収容箱内のゴミを圧縮できなかったり、蓋体が支持される部分の強度に劣る（例えば、蓋体を垂直溝に取り付けるための水平短軸が折れてしまったりする。特許文献２、段落番号［００２０］及び図３等参照。）という問題があり、未だ改善の余地があった。
【００１１】
そこで、本発明は、上記従来技術の有する課題に鑑みてなされたものであり、収容したごみの体積を減少させてごみを効率良く収容することができ、使用時に部材を取り外す必要がなくコンパクト性を有し、ごみの体積を減少させた後も美観を損ねることがなく、ごみ箱内のごみの体積をバランスのよい安定的な操作で減少させることのできる充分な強度を有するごみ箱を提供することを目的とする。
【課題を解決するための手段】
【００１２】
本発明者は、上記目的を達成すべく鋭意研究を重ねた結果、圧縮操作によってバランスよくかつ安定的に蓋体を押し下げ、ごみ箱に収容されたごみを効果的に圧縮するためには、蓋体を上下させる部分に引きバネで接続した特定の構造を有する支持体及び摺動体を用いることが、極めて有効であることを見出し、本発明に到達した。
【００１３】
すなわち、本発明は、
有底略筒状の容器本体、
前記容器本体の上開口部に着脱可能に配設された枠体、
前記枠体の内側面において前記容器本体の高さ方向に沿って配設され、溝部を有する長尺状の支持体、
前記支持体の外周部分に摺動可能に配設された略筒状の摺動体、
前記支持体の溝部において、前記支持体と前記摺動体とを接続し、前記摺動体を前記支持体の上端部に保持する引きバネ、
前記摺動体の上端部に回動可能に配設され、かつ前記枠体に開閉自在に配設された蓋体、
を具備し、
前記摺動体とともに前記蓋体を、前記引きバネの引張力に抗して前記容器本体内部に向かって前記高さ方向下側に押し込み可能な構成を有すること、
を特徴とする圧縮機能付ごみ箱を提供する。
【００１４】
また、本発明は、前記支持体として複数の支持体（例えば第一の支持体及び第二の支持体）を用い、前記摺動体として複数の摺動体（例えば第一の摺動体及び第二の摺動体）を用いた圧縮機能付ごみ箱も提供する。すなわち、本発明の別の態様によれば、
有底略筒状の容器本体、
前記容器本体の上開口部に着脱可能に配設された枠体、
前記枠体の対向内側面において前記容器本体の高さ方向に沿って配設され、溝部を有する長尺状の第一の支持体及び第二の支持体、
それぞれ前記第一の支持体及び前記第二の支持体の外周部分に摺動可能に配設された、略筒状の第一の摺動体及び第二の摺動体、
前記第一の支持体の溝部及び前記第二の支持体の溝部において、それぞれ前記第一の支持体及び前記第二の支持体と前記第一の摺動体及び前記第二の摺動体とを接続し、前記第一の摺動体及び前記第二の摺動体を前記第一の支持体及び前記第二の支持体の上端部に保持する引きバネ、
前記第一の摺動体及び前記第二の摺動体の上端部に回動可能に配設され、かつ前記枠体に開閉自在に配設された蓋体、
を具備し、
前記第一の摺動体及び前記第二の摺動体とともに前記蓋体を、前記引きバネの引張力に抗して前記容器本体内部に向かって前記高さ方向下側に押し込み可能な構成を有すること、
を特徴とする圧縮機能付ごみ箱を提供する。
【００１５】
これらのような構成を有することにより、本発明の圧縮機能付ごみ箱によれば継続して使用する際に部材を取り外す必要がなくコンパクト性を有し、ごみの体積を減少させた後も美観を損ねることなくごみを継続して収容することができ、特に引きバネによって支持体の上端部に保持された摺動体が、枠体の上端部に位置して支持体の外周面をバランスよくかつ安定的に摺動可能な構成（いわゆる入れ子式構造）を有するため、蓋体の圧縮操作によってバランスよくかつ安定的に蓋体を押し下げてごみ箱に収容されたごみを効果的に圧縮することができ、充分な強度を有する。
【発明の効果】
【００１６】
本発明者の圧縮機能付ごみ箱によれば、容器本体内に収容したごみの体積を減少させてごみを効率良く収容することができ、継続して使用する際に部材を取り外す必要がなくコンパクト性を有し、ごみの体積を減少させた後も美観を損ねることなくごみを継続して収容することができ、バランスのよい安定的な操作でごみ箱内のごみの体積を効果的に減少させることができ、充分な強度を有する。
【図面の簡単な説明】
【００１７】
【図１】本実施形態の圧縮機能付ごみ箱１の静止状態を示す概略斜視図である。
【図２】図１に示す状態の圧縮機能付ごみ箱１のＸ−Ｘ線断面図である。
【図３】図１に示す状態の圧縮機能付ごみ箱１のＹ−Ｙ線断面図である。
【図４】図１に示す状態の圧縮機能付ごみ箱１の透視図である。
【図５】本実施形態の圧縮機能付ごみ箱１の蓋体１０が開閉する様子を示す概略斜視図である。
【図６】図５に示す状態の圧縮機能付ごみ箱１のＸ−Ｘ線断面図である。
【図７】本実施形態の圧縮機能付ごみ箱１の蓋体１０を押し込むことにより、収容されているごみを圧縮させる様子を示す概略斜視図である。
【図８】図７に示す状態の圧縮機能付ごみ箱１のＸ−Ｘ線断面図である。
【図９】図７に示す状態の圧縮機能付ごみ箱１のＹ−Ｙ線断面図である。
【図１０】図７に示す状態の圧縮機能付ごみ箱１の透視図である。
【図１１】図１に示す圧縮機能付ごみ箱１の部分的分解斜視図である。
【発明を実施するための最良の形態】
【００１８】
以下、図面を参照しながら本発明の代表的な実施形態について説明する。なお、以下の説明では、同一または相当部分には同一符号を付し、重複する説明は省略することもある。
【００１９】
図１〜図４に示すように、本実施形態の圧縮機能付ごみ箱１は、容器本体２、枠体４、第一の支持体６ａ及び第二の支持体６ｂ（支持体６）、第一の摺動体８ａ及び第二の摺動体８ｂ（摺動体８）、並びに蓋体１０を具備し、図５〜図６に示すように、蓋体８が枠体４に対して開閉自在に配設されており、図７〜図１０に示すように、第一の摺動体８ａ及び第二の摺動体８ｂとともに蓋体１０を、引きバネ（図示せず。）の引張力に抗して容器本体２内部に向かって高さ方向下側（図において矢印Ｚで示す向き）に押し込み可能な構成を有している。
【００２０】
容器本体２は、図１〜図１０に示すように、有底略筒状（より詳しくは断面略矩形の筒状）であり、平面縦長長方形状の底面部２ａと、底面部２ａの外周縁から上方に向かって突設された断面略四角で枠状の周壁部２ｂと、を含み、上端部には上開口部２ｃが設けられていて全面的に開放した状態を有しており、底面部２ａと周壁部２ｂとで囲まれた空間（収容部）にごみを収容するように構成されている。
【００２１】
枠体４は、容器本体２の上開口部に位置しており、図２に示すように、断面形状が略凸状の天板部４ａと、この天板部４ａの両側端縁及び前後端縁から下方に向かって突設された周壁部４ｂと、を含んでいる。周壁部４ｂは、互いに対向する略台形状部分４ｂ１と、互いに対向する略長方形状部分４ｂ２と、で構成されている（後述する図１１参照）。
【００２２】
枠体４の下開口部は略四角形状に形成され、かつ天板部４ａの両端部に水平方向に形成された当接部４ａ´が、容器本体２の周壁部２ｂの上開口部側端面に載置されることによって、枠体４は容器本体２の上開口部に着脱自在に配設されている。
【００２３】
枠体４の天板部４ａには、その上下面間に亘って貫通する平面略縦長長方形状のごみ投入口４ｃが貫設されている一方、枠体４の周壁部４ｂにおける対向内側面における前後方向の中央部には、容器本体２の高さ方向に沿って第一の支持体６ａ及び第二の支持体６ｂが配設されている。
【００２４】
ここで、図１１に、本実施形態の圧縮機能付ごみ箱１を分解して、蓋体１０、枠体４、第一の支持体６ａ及び第二の支持体６ｂ、第一の摺動体８ａ及び第二の摺動体８ｂ、並びに第一の支持体６ａと第一の摺動体８ａとを接続する引きバネ１２ａの位置関係を説明するための模式図（圧縮機能付ごみ箱１の部分的分解斜視図）である。
【００２５】
第一の支持体６ａ及び第二の支持体６ｂは、枠体４の対向内側面４Ｓにおいて容器本体２の高さ方向に沿って配設され、それぞれ溝部６ａ１及び溝部６ｂ１を有する断面略コの字状の長尺状の部材で構成されており、上端６ａ２及び上端６ｂ２が枠体４の上端部分（より詳しくは天板部４ａの裏面）に当接した状態でビス６ａ４及び６ｂ４によって枠体４に配設され、下端（図示せず。）は、容器本体２の高さ方向における真ん中より下側（底面部２ａ側）まで延びている。溝部６ａ１及び溝部６ｂ１は、第一の支持体６ａ及び第二の支持体６ｂにおいて、枠体４の対向内側面４Ｓ側に直線状に設けられている。
【００２６】
そして、幅以上の長さを有する略筒状の第一の摺動体８ａ及び第二の摺動体８ｂが、それぞれ第一の支持体６ａ及び第二の支持体６ｂの外周部分を覆って摺動可能に配設されている。すなわち、第一の支持体６ａ及び第二の支持体６ｂがそれぞれ第一の摺動体８ａ及び第二の摺動体８ｂ内に入れ子式に挿入された状態で配設されている。
【００２７】
このような構成により、第一の摺動体８ａ及び第二の摺動体８ｂは、その長さ分のストロークでバランスよくかつ安定的に第一の支持体６ａ及び第二の支持体６ｂの長さ方向に沿って摺動可能であり、第一の摺動体８ａ及び第二の摺動体８ｂと、第一の支持体６ａ及び第二の支持体６ｂとは、充分な強度をもって連関している。
【００２８】
このとき、第一の摺動体８ａ及び第二の摺動体８ｂは、それぞれ引きバネ１２ａ及び引きバネ１２ｂ（図１１では隠れている。）によって第一の支持体６ａ及び第二の支持体６ｂに接続されている。また、第一の支持体６ａ及び第二の支持体６ｂの下端部には、それぞれ内側に向けて凸となるようにビス６ａ５及び６ｂ５が嵌めこまれており、第一の摺動体８ａ及び第二の摺動体８ｂには、それぞれ内側に、上方が閉じて下方が開放したスリット８ａ１及びスリット８ｂ１が設けられている。そのため、その閉じた部分が、第一の摺動体８ａ及び第二の摺動体８ｂが下げていくと、ビス６ａ５及び６ｂ５に係合し、下げ止まることになる。
【００２９】
このような状態では、図４に示す第一の摺動体８ａと第一の支持体６ａとの位置関係及び第二の摺動体８ｂと第二の支持体６ｂとの位置関係や、図１１に示す第二の摺動体８ｂと第二の支持体６ｂとの位置関係のように、第一の摺動体８ａ及び第二の摺動体８ｂは、第一の支持体６ａ及び第二の支持体６ｂの上端部に保持されており、よって、第一の摺動体８ａ及び第二の摺動体８ｂの上端部は、枠体４の上端部分（より詳しくは天板部４ａの裏面）付近に位置する状態で保持されていることになる。
【００３０】
引きバネ１２ａ及び引きバネ１２ｂは、それぞれ第一の摺動体８ａ及び第二の摺動体８ｂを第一の支持体６ａ及び第二の支持体６ｂに接続した状態で、上記のような位置関係を実現することができ本発明の効果を損なわないのであれば、種々の位置において、第一の摺動体８ａと第一の支持体６ａ、及び第二の摺動体８ｂと第二の支持体６ｂを接続していてよい。本実施形態では、第一の摺動体８ａの下端部に設けられたフック部８ａ２と第一の支持体６ａの上端部に設けられたフック部６ａ３とを、引きバネ１２ａが接続している。
【００３１】
蓋体１０には、水平軸部とその先端において鉛直方向に一体的に設けられた円板状部とで構成された係合部１０ａ及び係合部１０ｂが、互いに対向する部分に設けられており、第一の摺動体８ａ及び第二の摺動体８ｂの上端部に設けられた凹状の受部８ａ３及び受部８ｂ３に、回動可能に配設される。このとき、第一の摺動体８ａ及び第二の摺動体８ｂは、第一の支持体６ａ及び第二の支持体６ｂの上端部、すなわち、枠体４の上端部付近に位置するため、蓋体１０は枠体４に開閉自在に配設されていることになる。
【００３２】
このとき、蓋体１０の係合部１０ａ及び係合部１０ｂが、第一の摺動体８ａ及び第二の摺動体８ｂの受部８ａ３及び受部８ｂ３から抜け落ちないように、例えば係合した状態でその上からストッパー（図示せず。）を取り付けてもよい。
【００３３】
このような構成を有する蓋体１０は、上から本体容器２内へ向けて（すなわち、鉛直方向下向き）に押し下げられることにより、第一の摺動体８ａ及び第二の摺動体８ｂとともに、バランスよくかつ安定的に第一の支持体６ａ及び第二の支持体６ｂの長さ方向に沿って本体容器２内へと押し下げられる。
【００３４】
蓋体１０は、その係合部１０ａ及び係合部１０ｂにおいて、第一の摺動体８ａ及び第二の摺動体８ｂの受部８ａ３及び受部８ｂ３に係合しているため、第一の支持体６ａ及び第二の支持体６ｂと充分な強度をもって連関している第一の摺動体８ａ及び第二の摺動体８ｂとともに、枠体４の上端部付近から本体容器２内へと押し下げられるため、蓋体１０のみが第一の摺動体８ａ及び第二の摺動体８ｂからは格段に外れにくい。
【００３５】
次に、本実施形態の圧縮機能付ごみ箱１の使用方法について説明する。まず、圧縮機能付ごみ箱１内にごみを捨てるためには、図５及び図６に示すように、ごみを持った手で圧縮機能付ごみ箱１の蓋体１０の左右端部のいずれか一方を下方に向かって押すことによって、蓋体１０を係合部１０ａ及び係合部１０ｂの水平短軸を中心にして上下方向に回動変位させて、ごみ投入口４ｃを開放させ、容器本体２内にごみを捨てる。
【００３６】
そして、ごみを圧縮機能付ごみ箱１に捨てていくうちに、ごみが容器本体２内に溜まっていくが、容器本体２内のごみの総量がある一定量以上となると、蓋体１０を回動変位させてごみ投入口４ｃを開放させる際に、蓋体１０が容器本体２内のごみに引っ掛かり、蓋体１０の円滑な回動が阻止されるようになる。
【００３７】
このような状態に至ったときは、図１〜図４に示すように、蓋体１０をごみ投入口４ｃが全面的に閉じている状態から積極的に回動させることなくほぼ元の位置を維持したまま、図７〜図９に示すように、引きバネ１２ａ及び引きバネ１２ｂの引張力に抗して鉛直方向下向きに押し込むことによって、蓋体１０により容器本体２内のごみを鉛直方向下向きに圧縮してごみの体積を減少させ、ごみを収容するための空間を容器本体２内に形成することができる。
【００３８】
上記特許文献２に記載の発明のように圧縮バネの上に置かれた状態の蓋体を鉛直方向下向きに押し下げる場合に比べて、本実施形態においては、第一の摺動体８ａ及び第二の摺動体８ｂが、第一の支持体６ａの溝部６ａ１及び第二の支持体６ｂの溝部６ｂ１に沿って確実に鉛直方向下向きに動くため、引きバネ１２ａ及び引きバネ１２ｂの引張力に抗して蓋体１０を鉛直方向下向きに押し込む作業は、格段にバランスよくかつ安定的に実施することができる。
【００３９】
特に本実施形態によれば、第一の摺動体８ａ及び第二の摺動体８ｂが、第一の支持体６ａの溝部６ａ１及び第二の支持体６ｂの溝部６ｂ１に沿って確実に鉛直方向下向きに動くため、容器本体２内のごみの量が多かったり、容器本体２内のごみが嵩張っていたりしても、バランスよく安定的に蓋体１０を鉛直方向下向きに押し下げることができる。
【００４０】
蓋体１０によって容器本体２内のごみを鉛直方向下向きに圧縮した後、蓋体１０に加えられている下方に向かう押圧力を解除すると、蓋体１０は、引きバネ１２ａ及び引きバネ１２ｂの引張力によって、第一の摺動体８ａ及び第二の摺動体８ｂとともに、第一の支持体６ａの溝部６ａ１及び第二の支持体６ｂの溝部６ｂ１に沿って鉛直方向上向きに自動的に移動し、ごみ投入口４ｃ付近に自動的に復帰してごみ投入口４ｃを全面的に閉じる。
【００４１】
このような方法で蓋体１０を上下動させることによって、容器本体２内のごみを何度か鉛直方向下向きに圧縮することにより、従来以上の量のごみを容器本体２内に収容することができる。圧縮を繰り返してもなおごみの体積をそれ以上減少させることができない状態となったときには、枠体４を容器本体２の上開口部から取り外して容器本体２からごみを回収して処分すればよい。
【００４２】
このとき、第一の支持体６ａの溝部６ａ１及び第二の支持体６ｂ並びに第一の摺動体８ａ及び第二の摺動体８ｂは、枠体４とともに取り外されることになるため、容器本体２内のごみを円滑に回収することができる。
【００４３】
以上、本発明の代表的な実施形態について説明したが、本発明はこれらのみに限定されるものではない。例えば、上記実施形態においては、摺動体及び支持体がそれぞれ２個ずつ具備する態様について説明したが、必ずしも２個に限定されるものではない。例えば、例えば幅広で長尺状の支持体を用いれば、安定的に摺動体を上下動させることができ得るため、摺動体及び支持体がそれぞれ１個ずつであっても構わない。当然、摺動体及び支持体をそれぞれ３個以上ずつ用いても構わない。
【００４４】
また、上記実施形態においては、有底略筒状で、平面縦長長方形状の底面部２ａと、底面部２ａの外周縁から上方に向かって突設された四角枠状の周壁部２ｂと、を含む容器本体２について説明したが、これと異なる形状の容器本体であってもよい。容器本体の底面部は円状であっても直方体状であってもよく、これらの場合、容器本体はそれぞれ円筒状又は直方体状となる。
【００４５】
さらに、上記実施形態においては、互いに対向する略台形状部分４ｂ１と、互いに対向する略長方形状部分４ｂ２と、で構成されている周壁部４ｂを含む枠体４を具備する態様について説明したが、互いに対向する略長方形状部分と、互いに対向する略長方形状部分と、で構成されている周壁部を含む枠体であってもよい。本発明の圧縮機能付ごみ箱を、特にスペースの狭い場所に設置する場合には、全体として薄い形状の直方体形状となるように、容器本体及び枠体を設計するのが好ましい。
【００４６】
なお、本発明の圧縮機能付ごみ箱の各構成部材の材質は、本発明の効果を損なわない範囲であれば特に制限されるものではなく、例えば熱可塑性樹脂や金属を用いて構成することができる。なかでも、摺動体を支持体の外周面をバランスよくかつ安定的に摺動させ、蓋体の圧縮操作によってバランスよくかつ安定的に蓋体を押し下げて、ごみ箱に収容されたごみを効果的に圧縮するという本発明の効果をより確実に得るためには、摺動体及び支持体を金属で構成するのが好ましい。また、安定性のために、本体容器の底面部のみを金属で構成して、他の部材を樹脂で構成しても構わない。
【産業上の利用可能性】
【００４７】
本発明により得られる圧縮機能付ごみ箱は、家庭の他、特にペーパータオルが使用されるレストラン、オフィスビルやショッピングセンター等の人が多く集まる場所に設置するものとして好適に用いることができる。また、通常のごみ箱と同じ容量であったとしても、より確実な圧縮動作によって格段に多い量のごみを収容することができるため、上記のように人が多く集まる場所においても、ごみを回収する頻度を減らすことができ、人件費を節約することができるというメリットがある。
【図１】
2010215341.tif 000003
【図２】
2010215341.tif 000004
【図３】
2010215341.tif 000005
【図４】
2010215341.tif 000006
【図５】
2010215341.tif 000007
【図６】
2010215341.tif 000008
【図７】
2010215341.tif 000009
【図８】
2010215341.tif 000010
【図９】
2010215341.tif 000011
【図１０】
2010215341.tif 000012
【図１１】
2010215341.tif 000013